(57)【要約】【課題】生体情報による高い認証率を維持することができるＩＣカード、生体情報登録システム、及び生体情報登録方法を提供することである。【解決手段】実施形態のＩＣカードは、検出部と、生体情報記憶部と、処理部と、カード本体と、ガイド部とを持つ。検出部は、利用者の身体の一部から生体情報を検出する。生体情報記憶部は、前記検出部が検出した第１の生体情報を記憶する。処理部は、前記検出部が検出した第２の生体情報と、前記第１の生体情報とに基づいて、前記利用者を認証する。カード本体は、少なくとも前記処理部及び前記検出部が埋め込まれている。ガイド部は、前記検出部が前記第１の生体情報を検出した際に取得された、前記身体の一部と前記カード本体との位置関係を示す画像情報に基づいて前記カード本体に配置されたガイド部であって、前記検出部が前記第２の生体情報を検出する際に前記身体の一部を前記カード本体上に置く位置を示す。【選択図】図１
2020009245.tif 000002
【特許請求の範囲】
【請求項１】
利用者の身体の一部から生体情報を検出する検出部と、
前記検出部が検出した第１の生体情報を記憶する生体情報記憶部と、
前記検出部が検出した第２の生体情報と、前記生体情報記憶部が記憶する前記第１の生体情報とに基づいて、前記利用者を認証する処理部と、
少なくとも前記処理部及び前記検出部が埋め込まれたカード本体と、
前記検出部が前記第１の生体情報を検出した際に取得された、前記身体の一部と前記カード本体との位置関係を示す画像情報に基づいて、前記カード本体に配置されたガイド部であって、前記検出部が前記第２の生体情報を検出する際に前記身体の一部を前記カード本体上に置く位置を示すガイド部と
を備えるＩＣカード。
【請求項２】
前記ガイド部は、前記身体の一部を沿わせて置く位置を誘導するガイド線を含む
請求項１に記載のＩＣカード。
【請求項３】
前記ガイド部は、前記身体の一部を置く位置を示す前記カード本体上の凹凸を含む
請求項１又は請求項２に記載のＩＣカード。
【請求項４】
前記ガイド部は、前記画像情報における前記カード本体の基準位置と前記身体の一部との間の距離と、前記カード本体の外周の１辺に対する前記身体の一部の角度とに基づいて配置されている
請求項１から請求項３のいずれか一項に記載のＩＣカード。
【請求項５】
利用者の身体の一部から生体情報を検出する検出部と、前記検出部が検出した第１の生体情報を記憶する生体情報記憶部と、前記検出部が検出した第２の生体情報と、前記生体情報記憶部が記憶する前記第１の生体情報とに基づいて、前記利用者を認証する処理部と、少なくとも前記処理部及び前記検出部が埋め込まれたカード本体と、を備えるＩＣカードに、前記第１の生体情報を登録する生体情報登録システムであって、
前記ＩＣカードに対して、前記検出部が検出した前記第１の生体情報を前記生体情報記憶部に記憶させる処理要求を送信する登録処理部と、
前記検出部が前記第１の生体情報を検出した際に、前記身体の一部と前記カード本体との位置関係を示す画像情報を取得する画像取得部と、
前記画像取得部が取得した前記画像情報に基づいて、前記検出部が前記第２の生体情報を検出する際に前記利用者の身体の一部を前記カード本体上に置く位置を示すガイド部を、前記カード本体に生成するガイド生成部と
を備える生体情報登録システム。
【請求項６】
利用者の身体の一部から生体情報を検出する検出部と、前記検出部が検出した第１の生体情報を記憶する生体情報記憶部と、前記検出部が検出した第２の生体情報と、前記生体情報記憶部が記憶する前記第１の生体情報とに基づいて、前記利用者を認証する処理部と、少なくとも前記処理部及び前記検出部が埋め込まれたカード本体と、を備えるＩＣカードに、前記第１の生体情報を登録する生体情報登録方法であって、
登録処理部が、前記ＩＣカードに対して、前記検出部が検出した前記第１の生体情報を前記生体情報記憶部に記憶させる処理要求を送信する登録処理ステップと、
画像取得部が、前記検出部が前記第１の生体情報を検出した際に、前記身体の一部と前記カード本体との位置関係を示す画像情報を取得する画像取得ステップと、
ガイド生成部が、前記画像取得部が取得した前記画像情報に基づいて、前記検出部が前記第２の生体情報を検出する際に前記利用者の身体の一部を前記カード本体上に置く位置を示すガイド部を、前記カード本体に生成するガイド生成ステップと
を含む生体情報登録方法。
【発明の詳細な説明】
【技術分野】
【０００１】
本発明の実施形態は、ＩＣカード、生体情報登録システム、及び生体情報登録方法に関する。
【背景技術】
【０００２】
近年、指紋などの生体情報をＩＣ（Integrated Circuit）カードの本人認証に使用する技術が実用化されている。例えば、指紋センサを搭載したＩＣカードでは、指紋センサの性能や個体差などによって、指紋センサに対する利用者の指の置き方が変化すると、認証率が低下する場合があった。
【先行技術文献】
【特許文献】
【０００３】
【特許文献１】特開２００９−９４３４号公報
【発明の概要】
【発明が解決しようとする課題】
【０００４】
本発明が解決しようとする課題は、生体情報による高い認証率を維持することができるＩＣカード、生体情報登録システム、及び生体情報登録方法を提供することである。
【課題を解決するための手段】
【０００５】
実施形態のＩＣカードは、検出部と、生体情報記憶部と、処理部と、カード本体と、ガイド部とを持つ。検出部は、利用者の身体の一部から生体情報を検出する。生体情報記憶部は、前記検出部が検出した第１の生体情報を記憶する。処理部は、前記検出部が検出した第２の生体情報と、前記生体情報記憶部が記憶する前記第１の生体情報とに基づいて、前記利用者を認証する。カード本体は、少なくとも前記処理部及び前記検出部が埋め込まれている。ガイド部は、前記検出部が前記第１の生体情報を検出した際に取得された、前記身体の一部と前記カード本体との位置関係を示す画像情報に基づいて、前記カード本体に配置されたガイド部であって、前記検出部が前記第２の生体情報を検出する際に前記身体の一部を前記カード本体上に置く位置を示す。
【図面の簡単な説明】
【０００６】
【図１】第１の実施形態のＩＣカードの外観例を示す図。
【図２】第１の実施形態のＩＣカードのハードウェア構成例を示す図。
【図３】第１の実施形態のＩＣカードの機能構成例を示すブロック図。
【図４】第１の実施形態の生体情報登録システムの一例を示すブロック図。
【図５】第１の実施形態の生体情報登録システムの動作の一例を示す図。
【図６】指紋を検出した際に取得された画像情報の一例を示す図。
【図７】第１の実施形態の指紋情報による利用者の認証処理を行う際のＩＣカード及び利用者の指の位置の一例を示す図。
【図８】第１の実施形態のＩＣカードの認証処理の一例を示すフローチャート。
【図９】第２の実施形態のＩＣカードの外観例を示す図。
【図１０】第２の実施形態のＩＣカードの一例を示す断面図。
【図１１】第３の実施形態の生体情報登録システムの一例を示すブロック図。
【図１２】第３の実施形態のＩＣカードの外観例を示す図。
【発明を実施するための形態】
【０００７】
以下、実施形態のＩＣカード、生体情報登録システム、及び生体情報登録方法を、図面を参照して説明する。
【０００８】
（第１の実施形態）
図１は、第１の実施形態のＩＣカード１の一例を示す外観図である。
図１に示すように、ＩＣカード１は、ＩＣモジュール１０と、ガイド部１１と、カード基材ＰＴとを備える。ＩＣモジュール１０は、コンタクト部３と、指紋センサ９と、内部にＩＣチップ２０とを備える。
【０００９】
ＩＣカード１は、例えば、プラスチックのカード基材ＰＴ（カード本体の一例）に、ＩＣモジュール１０及び指紋センサ９を実装して形成されている。すなわち、ＩＣカード１は、ＩＣモジュール１０と、指紋センサ９と、ＩＣモジュール１０及び指紋センサ９が埋め込まれたカード基材ＰＴと、ガイド部１１とを備える。また、ＩＣカード１は、コンタクト部３を介して外部装置２と通信可能である。
なお、本実施形態では、携帯可能電子装置の一例として、ＩＣカード１について説明する。
【００１０】
ＩＣカード１は、例えば、外部装置２が送信したコマンド（処理要求）を、コンタクト部３を介して受信し、受信したコマンドに応じた処理（コマンド処理）を実行する。そして、ＩＣカード１は、コマンド処理の実行結果であるレスポンス（処理応答）を外部装置２にコンタクト部３を介して送信する。
ここで、外部装置２は、ＩＣカード１と通信する装置であり、例えば、リーダ／ライタ装置や登録装置などである。
【００１１】
ＩＣモジュール１０は、コンタクト部３と、ＩＣチップ２０とを備え、例えば、テープ上にＩＣモジュール１０が複数配置されたＣＯＴ（Chip On Tape）などの形態で取引されるモジュールである。なお、テープから個片抜きして切り離した単体のＩＣモジュール１０をＣＯＴという場合がある。
【００１２】
コンタクト部３は、ＩＣカード１が動作するために必要な各種信号の端子を有している。ここで、各種信号の端子には、電源電圧、クロック信号、リセット信号などを外部装置２から供給を受ける端子、及び、外部装置２と通信するためのシリアルデ―タ入出力端子（ＳＩＯ端子）が含まれる。
ＩＣチップ２０は、例えば、１チップのマイクロプロセッサなどのＬＳＩ（Large Scale Integration）である。
【００１３】
指紋センサ９（検出部の一例）は、利用者の指ＦＧ（図６参照）から指紋情報を検出する。なお、本実施形態では、生体情報の一例として、指紋情報を使用する。また、利用者の指ＦＧは、利用者の身体の一部の一例である。指紋センサ９は、例えば、静電容量型、感熱型、光学型などのうちいずれかの方式で利用者の指紋情報を取得する。
【００１４】
ガイド部１１は、指紋センサ９が第１の指紋情報（第１の生体情報）を検出した際に取得された、指ＦＧとカード基材ＰＴとの位置関係を示す画像情報に基づいて、カード基材ＰＴに配置され、指紋センサ９が第２の指紋情報（第２の生体情報）を検出する際に指ＦＧをカード基材ＰＴ上に置く位置を示す。ここで、第１の指紋情報は、ＩＣカード１に予め登録する指紋情報であり、第２の指紋情報は、利用者の認証処理の際に新たに検出した指紋情報である。また、上記第１の指紋情報を検出した際とは、検出と厳密に同時のタイミングのみならず、検出したときの身体の一部とカード機材ＰＴとの位置関係が崩れないような時間的な幅を除外するものではない。
【００１５】
ガイド部１１は、例えば、図１に示すように、利用者の指ＦＧを沿わせて置く位置を誘導するガイド線である。すなわち、ガイド部１１は、カード基材ＰＴ上のガイド線により、利用者が指ＦＧを置く位置（利用者の指ＦＧと指紋センサ９との位置関係）が一定になるように誘導する。
【００１６】
次に、図２を参照して、本実施形態のＩＣカード１のハードウェア構成について説明する。
図２は、本実施形態のＩＣカード１のハードウェア構成図である。
図２に示すように、ＩＣカード１は、コンタクト部３と、ＩＣチップ２０とを備えたＩＣモジュール１０と、指紋センサ９と、照合プロセッサ１２とを備える。ＩＣチップ２０は、ＵＡＲＴ（Universal Asynchronous Receiver Transmitter）４と、ＣＰＵ（Central Processing Unit）５と、ＲＯＭ（Read Only Memory）６と、ＲＡＭ（Random Access Memory）７と、ＥＥＰＲＯＭ（Electrically Erasable Programmable ROM）８とを備える。これらの構成要素は、内部バスＢＳ１を介して接続されている。
【００１７】
ＵＡＲＴ４は、上述したＳＩＯ端子を介して、外部装置２とシリアルデータ通信を行う。ＵＡＲＴ４は、ＳＩＯ端子を介して受信したシリアルデータ信号をパラレル変換したデータ（例えば、１バイトのデータ）を内部バスＢＳ１に出力する。また、ＵＡＲＴ４は、内部バスＢＳ１を介して取得したデータをシリアル変換して、ＳＩＯ端子を介して外部装置２に出力する。ＵＡＲＴ４は、例えば、ＳＩＯ端子を介してコマンドを外部装置２から受信する。また、ＵＡＲＴ４は、ＳＩＯ端子を介してレスポンスを外部装置２に送信する。
【００１８】
ＣＰＵ５は、ＲＯＭ６又はＥＥＰＲＯＭ８に記憶されているプログラムを実行して、ＩＣカード１の各種処理を行う。ＣＰＵ５は、例えば、コンタクト部３を介して、ＵＡＲＴ４が受信したコマンドに応じたコマンド処理を実行する。
【００１９】
ＲＯＭ６は、例えば、マスクＲＯＭなどの不揮発性メモリであり、ＩＣカード１の各種処理を実行するためのプログラム、及びコマンドテーブルなどのデータを記憶する。
ＲＡＭ７は、例えば、ＳＲＡＭ（Static RAM）などの揮発性メモリであり、ＩＣカード１の各種処理を行う際に利用されるデータを一時記憶する。
【００２０】
ＥＥＰＲＯＭ８は、例えば、電気的に書き換え可能な不揮発性メモリである。ＥＥＰＲＯＭ８は、ＩＣカード１が利用する各種データを記憶する。ＥＥＰＲＯＭ８は、例えば、ＩＣカード１を利用した各種サービス（アプリケーション）に使用される情報や、生体認証用の指紋情報（第１の指紋情報）などを記憶する。
【００２１】
照合プロセッサ１２は、例えば、ＣＰＵとプログラムメモリとを含む。照合プロセッサ１２は、専用線などで指紋センサ９と接続され、指紋センサ９が指紋情報を取得可能な状態（通電状態）であるか否かを検知することができる。照合プロセッサ１２は、利用者の指紋情報の登録処理において、指紋センサ９により取得された利用者の指紋情報（第１の指紋情報）をＩＣモジュール１０に出力し、指紋情報をＩＣモジュール１０に保持させる。なお、照合プロセッサ１２は、指紋センサ９が検出した指紋の画像情報の特徴量を抽出し、当該特徴量を、指紋情報として、ＩＣモジュール１０に出力してもよい。
【００２２】
また、照合プロセッサ１２は、利用者を認証する際の照合処理において、指紋センサ９により取得された利用者の指紋情報（第２の指紋情報）と、ＩＣモジュール１０内に保持された指紋情報（第１の指紋情報）とを照合することで、利用者の認証を行い、認証結果をＩＣモジュール１０に出力する。なお、照合プロセッサ１２は、取得された利用者の指紋情報（第２の指紋情報）の特徴量を抽出し、ＩＣモジュール１０内に保持された指紋情報（第１の指紋情報）の特徴量と比較することで、利用者の認証を行うようにしてもよい。
【００２３】
次に、図３を参照して、本実施形態によるＩＣカード１の機能構成例について説明する。
図３は、本実施形態のＩＣカード１の機能構成例を示すブロック図である。
図３に示すように、ＩＣカード１は、通信部４０と、制御部５０と、指紋センサ９と、生体照合処理部１２０と、ＡＰデータ記憶部８１とを備える。
ここで、図３に示されるＩＣカード１の各部は、図２に示されるＩＣカード１のハードウェアを用いて実現される。
【００２４】
通信部４０は、例えば、ＵＡＲＴ４と、ＣＰＵ５と、ＲＯＭ６に記憶されているプログラムとにより実現され、コンタクト部３を介して、例えば、外部装置２との間でコマンド及びレスポンスの送受信を行う。すなわち、通信部４０は、所定の処理を要求するコマンド（処理要求）を外部装置２から受信するとともに、コマンドに対するレスポンス（処理応答）を外部装置２に送信する。
【００２５】
ＡＰデータ記憶部８１（生体情報記憶部の一例）は、例えば、ＥＥＰＲＯＭ８により構成された記憶部であり、アプリケーションデータを記憶する。ＡＰデータ記憶部８１は、例えば、カードＩＤ、秘密鍵、及び指紋情報（第１の指紋情報）などを、アプリケーションデータとして記憶する。
【００２６】
制御部５０は、例えば、ＣＰＵ５と、ＲＡＭ７と、ＲＯＭ６又はＥＥＰＲＯＭ８とにより実現され、ＩＣカード１を統括的に制御する。制御部５０は、コマンド処理部５１を備える。
【００２７】
コマンド処理部５１は、外部装置２（又は後述する登録装置６０）からＩＣカード１に送信されたコマンド（処理要求）に応じて、各種コマンドの処理（コマンド処理）を実行する。コマンド処理部５１は、例えば、通信部４０を介して外部装置２（又は後述する登録装置６０）から受信したコマンドに応じて、コマンド処理を実行する。また、コマンド処理部５１は、コマンド処理の結果であるレスポンスを、通信部４０を介して外部装置２（又は後述する登録装置６０）に送信する。
【００２８】
また、コマンド処理部５１は、例えば、指紋情報の登録コマンドを受信した場合に、後述する生体照合処理部１２０に対して、指紋センサ９に利用者の指紋情報を取得させ、生体照合処理部１２０から取得した指紋情報を、ＡＰデータ記憶部８１に記憶させる。
【００２９】
また、コマンド処理部５１は、例えば、指紋情報による認証コマンドを受信した場合（利用者の指紋情報による認証を行う場合）に、ＡＰデータ記憶部８１が記憶する指紋情報を生体照合処理部１２０に出力し、指紋センサ９から取得した利用者の指紋情報との照合結果を、生体照合処理部１２０から取得する。コマンド処理部５１は、取得した照合結果を含むレスポンスを、通信部４０を介して出力する。
【００３０】
生体照合処理部１２０（処理部の一例）は、照合プロセッサ１２によって実現される。生体照合処理部１２０は、生体認証情報を登録する場合に、指紋センサ９から取得した利用者の指紋情報をコマンド処理部５１に出力する。
【００３１】
また、生体照合処理部１２０は、利用者の指紋情報による認証を行う場合に、コマンド処理部５１から出力されたＡＰデータ記憶部８１が記憶する指紋情報（登録済の第１の指紋情報）を取得する。また、生体照合処理部１２０は、指紋センサ９から取得した利用者の指紋情報（第２の指紋情報）と、コマンド処理部５１から取得した指紋情報（第１の指紋情報）とを照合する。生体照合処理部１２０は、照合結果を、コマンド処理部５１に出力する。
【００３２】
次に、図４を参照して、本実施形態による生体情報登録システム１００の構成例について説明する。
図４は、本実施形態による生体情報登録システム１００の一例を示すブロック図である。
図４に示すように、生体情報登録システム１００は、カメラ３１と、印刷装置３２と、登録装置６０と、ＩＣカード１とを備える。なお、図４に示すＩＣカード１は、ガイド部１１が印刷される前の状態である。
【００３３】
カメラ３１（画像取得部の一例）は、例えば、デジタルカメラなどの撮像装置であり、ＩＣカード１に指紋情報を登録する際に、利用者の指ＦＧとカード基材ＰＴ（又は指紋センサ９）との位置関係を示す画像情報を取得する。すなわち、カメラ３１は、利用者の指ＦＧとＩＣカード１とが含まれる画像情報を撮像する。カメラ３１は、取得（撮像）した画像情報を登録装置６０に出力する。
【００３４】
印刷装置３２（ガイド生成部の一例）は、例えば、カード基材ＰＴに印刷可能なプリンタ装置であり、カメラ３１が取得した画像情報に基づいて、上述したガイド部１１を、カード基材ＰＴに印刷して生成する。ここで、ガイド部１１は、上述したように、指紋センサ９が指紋情報を検出する際に利用者の指ＦＧをカード基材ＰＴ上に置く位置を示すガイド線である。印刷装置３２は、登録装置６０からの制御に基づいて、カード基材ＰＴにガイド部１１を印刷する。
【００３５】
登録装置６０は、ＩＣカード１に対して、利用者の指紋情報を登録する処理を実行する。登録装置６０は、ＩＣカード１に対して、指紋情報の登録コマンドを送信して、指紋情報をＩＣカード１のＡＰデータ記憶部８１に記憶させる。また、登録装置６０は、カメラ３１から取得した画像情報に基づいて、ガイド部１１のカード基材ＰＴ上の位置を決定し、印刷装置３２に対して、決定したカード基材ＰＴ上の位置に、ガイド部１１を印刷させる。また、登録装置６０は、制御部６１を備える。
【００３６】
制御部６１は、例えば、ＣＰＵなどを含むプロセッサであり、登録装置６０を統括的に制御する。制御部６１は、登録処理部６１１と、ガイド位置生成部６１２と、印刷制御部６１３とを備える。
【００３７】
登録処理部６１１は、ＩＣカード１に対して、指紋センサ９が検出した指紋情報をＡＰデータ記憶部８１に記憶させるコマンド（処理要求）を送信する。すなわち、登録処理部６１１は、指紋情報の登録コマンドをＩＣカード１に送信することで、指紋センサ９に利用者の指紋情報を検出させるとともに、当該指紋情報を、ＡＰデータ記憶部８１に記憶させる。
【００３８】
ガイド位置生成部６１２は、指紋センサ９が指紋情報を検出した際の画像情報を、カメラ３１から取得し、取得した画像情報に基づいて、ガイド部１１の位置を決定する。ガイド位置生成部６１２は、例えば、画像情報におけるカード基材ＰＴの基準位置（例えば、指紋センサ９の中心点）と指ＦＧとの間の距離と、カード基材ＰＴの外周の１辺に対する指ＦＧの角度とに基づいて、ガイド部１１を印刷（配置）する位置を決定する。なお、ガイド部１１を印刷（配置）する位置を決定する処理の詳細については後述する。
【００３９】
印刷制御部６１３は、ガイド位置生成部６１２が決定したガイド部１１を印刷（配置）する位置に、ガイド部１１を印刷装置３２に印刷させる。これにより、印刷装置３２は、ＩＣカード１のカード基材ＰＴの所定の位置に、ガイド線を印刷してガイド部１１を生成する。すなわち、印刷装置３２は、カメラ３１が取得した画像情報に基づいて、指紋センサ９が第２の指紋情報を検出する際に利用者の指ＦＧをカード基材ＰＴ上に置く位置を示すガイド部１１を、カード基材ＰＴに生成（印刷）する。
【００４０】
次に、図面を参照して、本実施形態による生体情報登録システム１００及びＩＣカード１の動作について説明する。
【００４１】
図５は、本実施形態の生体情報登録システム１００の動作の一例を示す図である。この図を参照して、本実施形態の生体情報登録システム１００の指紋情報の登録処理について説明する。
図５において、指紋情報を登録するＩＣカード１が登録装置６０に接続されると、登録装置６０は、指紋情報の登録コマンドをＩＣカード１に送信する（ステップＳ１０１）。すなわち、登録装置６０の登録処理部６１１は、ＩＣカード１に対して、指紋情報の登録コマンドを送信する。
【００４２】
次に、ＩＣカード１は、指紋情報の登録コマンドに応じて、指紋情報を取得する（ステップＳ１０２）。ＩＣカード１のコマンド処理部５１は、通信部４０を介して、指紋情報の登録コマンドを受信した場合に、生体照合処理部１２０に対して、指紋センサ９に利用者の指紋情報を取得させる。これにより、指紋センサ９は、利用者の指紋情報を取得する。
【００４３】
また、カメラ３１は、指紋センサ９が利用者の指紋情報を取得している際に、ＩＣカード１を撮像する（ステップＳ１０３）。カメラ３１は、例えば、図６に示す画像Ｇ１のような、利用者の指ＦＧとＩＣカード１とが含まれ、利用者の指ＦＧとカード基材ＰＴとの位置関係が分かる画像を撮像する。
【００４４】
次に、ＩＣカード１は、指紋情報の登録を行う（ステップＳ１０４）。コマンド処理部５１は、生体照合処理部１２０から取得した指紋情報を、ＡＰデータ記憶部８１に記憶させる。
【００４５】
次に、ＩＣカード１は、レスポンスを登録装置６０に送信する（ステップＳ１０５）。コマンド処理部５１は、指紋情報の登録コマンドの処理結果として、レスポンスを登録装置６０に送信する。
【００４６】
次に、登録装置６０は、カメラ３１から画像情報を取得する（ステップＳ１０６）。登録装置６０は、例えば、カメラ３１が撮像した図６に示す画像Ｇ１の画像情報を、カメラ３１から取得する。
【００４７】
次に、登録装置６０は、画像情報に基づいて、ガイド部１１の位置を決定する（ステップＳ１０７）。登録装置６０のガイド位置生成部６１２は、指紋センサ９が指紋情報を検出した際の画像情報に基づいて、ガイド部１１の位置を決定する。具体的に、ガイド位置生成部６１２は、図６に示す画像Ｇ１の画像情報に基づいて、例えば、画像情報におけるカード基材ＰＴの基準位置（例えば、指紋センサ９の中心点Ｐ０）と指ＦＧの先端との間の距離Ｌと、指ＦＧの角度θとに基づいて、ガイド部１１の位置及び形状を決定する。
【００４８】
なお、ここでの指ＦＧの角度θは、カード基材ＰＴの外周の１辺に対する指ＦＧの角度に対応する。また、ガイド位置生成部６１２は、画像情報から利用者の指ＦＧの太さを抽出し、当該指ＦＧの太さと、指ＦＧの角度θとに基づいて、ガイド部１１のガイド線の形状を決定してもよい。
また、ガイド位置生成部６１２は、画像Ｇ１の画像情報から、例えば、パターン認識技術を用いて、利用者の指ＦＧの外周線を抽出し、指ＦＧの外周線に基づいて、ガイド部１１のガイド線の位置及び形状を決定してもよい。
【００４９】
次に、登録装置６０は、ガイド部１１の印刷依頼を印刷装置３２に送信する（ステップＳ１０８）。登録装置６０の印刷制御部６１３は、ガイド位置生成部６１２が決定した位置及び形状で、カード基材ＰＴ上に、ガイド部１１のガイド線を印刷する印刷依頼を印刷装置３２に送信する。
【００５０】
次に、印刷装置３２は、ガイド部１１の印刷を行う（ステップＳ１０９）。印刷装置３２は、登録装置６０からのガイド部１１の印刷依頼に基づいて、ＩＣカード１のカード基材ＰＴ上に、図１に示すようなガイド部１１のガイド線を印刷する。
次に、印刷装置３２は、印刷完了通知を登録装置６０に送信し（ステップＳ１１０）、登録装置６０は、指紋情報の登録処理を終了する。
【００５１】
次に、図７及び図８を参照して、本実施形態によるＩＣカード１の指紋情報による認証処理について説明する。
図７は、本実施形態の指紋情報による利用者の認証処理を行う際のＩＣカード１及び利用者の指ＦＧの位置の一例を示す図である。
【００５２】
利用者は、指紋情報による利用者の認証処理を行う際に、図７に示すように、ガイド部１１のガイド線に沿って、指ＦＧをカード基材ＰＴ上に置く。本実施形態によるＩＣカード１は、このように利用者の指ＦＧがカード基材ＰＴ上に置かれた状態において、指紋情報による認証処理が実行される。
【００５３】
図８は、本実施形態のＩＣカード１の認証処理の一例を示すフローチャートである。
図８において、ＩＣカード１は、上述した図７に示すように利用者の指ＦＧがカード基材ＰＴ上に置かれた状態で、外部装置２と接続され、ＩＣカード１が活性化されると、ＩＣカード１は、まず、指紋情報による認証コマンドを受信したか否かを判定する（ステップＳ２０１）。ＩＣカード１のコマンド処理部５１は、通信部４０を介して、指紋情報による認証コマンドを受信したか否かを判定する。コマンド処理部５１は、指紋情報による認証コマンドを受信した場合（ステップＳ２０１：ＹＥＳ）に、処理をステップＳ２０２に進める。また、コマンド処理部５１は、指紋情報による認証コマンドを受信していない場合（ステップＳ２０１：ＮＯ）に、処理をステップＳ２０１に戻す。
【００５４】
なお、説明を省略するが、コマンド処理部５１は、他のコマンドを受信した場合に、受信した他のコマンドに対応するコマンド処理を実行する。
【００５５】
ステップＳ２０２において、コマンド処理部５１は、ＡＰデータ記憶部８１から指紋情報（第１の指紋情報）を取得する（ステップＳ２０２）。
次に、指紋センサ９が指紋情報を検出する（ステップＳ２０３）。コマンド処理部５１が、ＡＰデータ記憶部８１から取得した指紋情報を生体照合処理部１２０に出力すると、生体照合処理部１２０は、指紋センサ９に上述した図７に示す状態により、利用者の指紋情報を検出させる。
【００５６】
次に、生体照合処理部１２０は、指紋センサ９が検出した指紋情報と、ＡＰデータ記憶部から取得した指紋情報とに基づいて、利用者の認証処理を行う（ステップＳ２０４）。生体照合処理部１２０は、例えば、それぞれの指紋情報から抽出した特徴量を照合して、利用者の認証処理を行う。生体照合処理部１２０は、認証結果（照合結果）をコマンド処理部５１に出力する。
【００５７】
次に、コマンド処理部５１は、認証結果をレスポンスとして、外部装置２に送信する（ステップＳ２０５）。コマンド処理部５１は、通信部４０を介して、指紋情報による認証コマンドに対するレスポンスを外部装置２に送信し、認証処理を終了する。
【００５８】
以上説明したように、本実施形態によるＩＣカード１は、指紋センサ９（検出部）と、ＡＰデータ記憶部８１（生体情報記憶部）と、生体照合処理部１２０（処理部）と、カード基材ＰＴ（カード本体）と、ガイド部１１とを備える。指紋センサ９は、利用者の指ＦＧ（身体の一部）から指紋情報（生体情報）を検出する。ＡＰデータ記憶部８１は、指紋センサ９が検出した第１の指紋情報（第１の指紋情報）を記憶する。生体照合処理部１２０は、指紋センサ９が検出した第２の指紋情報（第２の指紋情報）と、ＡＰデータ記憶部８１が記憶する第１の指紋情報とに基づいて、利用者を認証する。カード基材ＰＴは、少なくとも生体照合処理部１２０及び指紋センサ９が埋め込まれている。ガイド部１１は、指紋センサ９が第１の指紋情報を検出した際に取得された、利用者の指ＦＧとカード基材ＰＴとの位置関係を示す画像情報に基づいて、カード基材ＰＴに配置されたガイド部１１であって、指紋センサ９が第２の指紋情報を検出する際に指ＦＧをカード基材ＰＴ上に置く位置を示す。
【００５９】
これにより、本実施形態によるＩＣカード１は、ガイド部１１によって、利用者がカード基材ＰＴの常に一定の位置で、且つ、指紋情報を登録した際と同一の位置に、指ＦＧ（身体の一部）を置くことができるため、指紋情報（生体情報）による高い認証率を維持することができる。本実施形態によるＩＣカード１は、例えば、安価な廉価版の指紋センサ９を使用した場合でも、利用者の認証率を高く維持することができる。そのため、本実施形態によるＩＣカード１は、利用者の認証率を維持しつつ、製造コストを低減することができる。
【００６０】
また、本実施形態によるＩＣカード１は、例えば、高精度の指紋センサ９を使用した場合には、利用者の認証率を向上させることができる。
また、例えば、利用者ごとに指ＦＧの置き方に癖がある場合、手や腕に障害のある方などの指ＦＧの置き方に制限がある場合、及び、職業的な理由又は個人差により指紋情報が検出され難い場合など、指紋情報による認証率が低下することがある。本実施形態によるＩＣカード１は、これらのような場合であっても、利用者が、常に一定の位置で、且つ、指紋情報を登録した際と同一の位置に、指ＦＧを置くことができるため、認証率を高く維持することができる。
【００６１】
また、本実施形態では、ガイド部１１は、指ＦＧを沿わせて置く位置を誘導するガイド線を含む。
これにより、本実施形態によるＩＣカード１では、利用者は、ガイド線に指ＦＧを沿わせて置くことにより、容易に一定の位置に指ＦＧを置くことができるため、高い認証率を維持することができる。
【００６２】
また、本実施形態では、ガイド部１１は、画像情報におけるカード基材ＰＴの基準位置と指ＦＧとの間の距離と、カード基材ＰＴの外周の１辺に対する指ＦＧの角度とに基づいて配置されている。
これにより、本実施形態によるＩＣカード１では、指紋情報を登録した際のより正確な位置に、利用者の指ＦＧが配置されるようにすることができる。
【００６３】
また、本実施形態による生体情報登録システム１００は、上述した指紋センサ９と、ＡＰデータ記憶部８１と、生体照合処理部１２０と、カード基材ＰＴと、を備えるＩＣカード１に、第１の指紋情報を登録する生体情報登録システムであって、登録処理部６１１と、カメラ３１（画像取得部）と、印刷装置３２（ガイド生成部）とを備える。登録処理部６１１は、ＩＣカード１に対して、指紋センサ９が検出した第１の指紋情報をＡＰデータ記憶部８１に記憶させるコマンド（処理要求）を送信する。カメラ３１は、指紋センサ９が第１の指紋情報を検出した際に、利用者の指ＦＧとカード基材ＰＴとの位置関係を示す画像情報を取得する。印刷装置３２は、カメラ３１が取得した画像情報に基づいて、指紋センサ９が第２の指紋情報を検出する際に利用者の指ＦＧをカード基材ＰＴ上に置く位置を示すガイド部１１を、カード基材ＰＴに生成する。
これにより、本実施形態による生体情報登録システム１００は、上述したＩＣカード１と同様の効果を奏し、ＩＣカード１の指紋情報による高い認証率を維持することができる。
【００６４】
また、本実施形態による生体情報登録方法は、上述した指紋センサ９と、ＡＰデータ記憶部８１と、生体照合処理部１２０と、カード基材ＰＴと、を備えるＩＣカード１に、第１の指紋情報を登録する生体情報登録方法であって、登録処理ステップと、画像取得ステップと、ガイド生成ステップとを含む。登録処理ステップにおいて、登録処理部６１１が、ＩＣカード１に対して、指紋センサ９が検出した第１の指紋情報をＡＰデータ記憶部８１に記憶させる処理要求を送信する。画像取得ステップにおいて、カメラ３１が、指紋センサ９が第１の指紋情報を検出した際に、指ＦＧとカード基材ＰＴとの位置関係を示す画像情報を取得する。ガイド生成ステップにおいて、印刷装置３２が、カメラ３１が取得した画像情報に基づいて、指紋センサ９が第２の指紋情報を検出する際に利用者の指ＦＧをカード基材ＰＴ上に置く位置を示すガイド部１１を、カード基材ＰＴに生成する。
これにより、本実施形態による生体情報登録方法は、上述したＩＣカード１と同様の効果を奏し、ＩＣカード１の指紋情報による高い認証率を維持することができる。
【００６５】
（第２の実施形態）
次に、図面を参照して、第２の実施形態のＩＣカード１ａについて説明する。
図９は、第２の実施形態のＩＣカード１ａの外観例を示す図である。
図９に示すように、ＩＣカード１ａは、ＩＣモジュール１０と、ガイド部１１ａと、カード基材ＰＴとを備える。
【００６６】
なお、図９において、図１と同一の構成には同一の符号を付与してその説明を省略する。本実施形態では、ガイド部１１ａが、凹凸により構成されている点が、上述した第１の実施形態と異なる。
また、本実施形態において、カード基材ＰＴの主面の直交する各方向をＸ軸方向とＹ軸方向とし、直交する厚み方向をＺ軸方向として説明する。
【００６７】
ガイド部１１ａは、第１の実施形態のガイド部１１と同様に、カード基材ＰＴに配置され、指紋センサ９が第２の指紋情報（第２の生体情報）を検出する際に指ＦＧをカード基材ＰＴ上に置く位置を示す。ガイド部１１ａは、例えば、エンボスや３次元印刷などによる突起部ＥＮ（凸部）により構成されている。ガイド部１１ａは、利用者の指ＦＧの形状に沿って、複数の突起部ＥＮが配置されて、ガイド線を構成している。このように、ガイド部１１ａは、指ＦＧを置く位置を示すカード基材ＰＴ上の凹凸（例えば、突起部ＥＮ）を含む。
【００６８】
図１０は、本実施形態のＩＣカード１ａの一例を示す断面図である。
ここでの図１０は、図９に示すＡＢ線におけるＩＣカード１ａの断面図を示している。この図に示すように、突起部ＥＮは、カード基材ＰＴ上に、厚み方向（Ｚ軸方向）の突起物として形成されており、指紋センサ９を間に挟んで複数の突起部ＥＮが配置されている。複数の突起部ＥＮは、複数の突起部ＥＮの間に利用者の指ＦＧを沿わせて置くことで、利用者が指ＦＧを置く位置（利用者の指ＦＧと指紋センサ９との位置関係）が一定になるように誘導する。
【００６９】
また、本実施形態によるＩＣカード１ａのハードウェア構成及び機能構成は、上述した図２及び図３に示す第１の実施形態と同様であるためここではその説明を省略する。
また、本実施形態による生体情報登録システム１００の構成は、印刷装置３２が、突起部ＥＮを形成可能な構成である点を除いて、上述した図４に示す第１の実施形態と同様であるためここではその説明を省略する。
また、本実施形態によるＩＣカード１ａ及び生体情報登録システム１００の動作は、上述した図５及び図８に示す第１の実施形態と同様であるため、ここではその説明を省略する。
【００７０】
以上説明したように、本実施形態によるＩＣカード１ａは、ガイド部１１ａを備える。ガイド部１１ａは、ガイド部１１は、指ＦＧを置く位置を示すカード基材ＰＴ上の凹凸を含む。
これにより、本実施形態によるＩＣカード１ａは、ガイド部１１ａによって、利用者がカード基材ＰＴの常に一定の位置で、且つ、指紋情報を登録した際と同一の位置に、指ＦＧ（身体の一部）を置くことができるため、第１の実施形態と同様の効果を奏し、指紋情報（生体情報）による高い認証率を維持することができる。
【００７１】
また、本実施形態では、ガイド部１１ａがカード基材ＰＴ上の凹凸を含んでいるため、利用者は、指ＦＧの触覚により、カード基材ＰＴの常に一定の位置に指ＦＧを置くことができ、利用者の指ＦＧの位置を目視して位置合わせする必要がない。そのため、本実施形態によるＩＣカード１ａは、利用者が、例えば、視覚障害者など目視して位置合わせが困難な場合であっても、指紋情報による高い認証率を維持することができる。
【００７２】
（第３の実施形態）
次に、図面を参照して、第３の実施形態のＩＣカード１ｂ及び生体情報登録システム１００ａについて説明する。
【００７３】
図１１は、第３の実施形態の生体情報登録システム１００ａの一例を示すブロック図である。
図１１に示すように、生体情報登録システム１００ａは、複数のカメラ（３１−１、３１−２）と、印刷装置３２と、登録装置６０と、ＩＣカード１とを備える。
この図において、図４と同一の構成には同一の符号を付与してその説明を省略する。
【００７４】
なお、本実施形態において、カメラ３１−１と、カメラ３１−２とは、同一の構成であり、単に生体情報登録システム１００ａが備えるカメラを示す場合、又は特に区別しない場合に、カメラ３１として説明する。
本実施形態では、生体情報登録システム１００ａが、複数のカメラ３１を備える場合の一例について説明する。
【００７５】
カメラ３１−１及びカメラ３１−２は、画像取得部の一例であり、例えば、デジタルカメラなどの撮像装置である。カメラ３１−１及びカメラ３１−２のうちの一方の１台は、例えば、ＩＣカード１ｂのＸ軸Ｙ軸平面の画像を撮像し、他方の１台は、ＩＣカード１ｂの厚み方向の画像であるＸ軸Ｚ軸平面又はＹ軸Ｚ軸平面の画像を撮像する。カメラ３１−１及びカメラ３１−２は、それぞれの方向から撮像した画像情報を取得する。
【００７６】
本実施形態における登録装置６０のガイド位置生成部６１２は、複数のカメラ３１が取得した複数の画像情報に基づいて、ガイド部１１ｂの位置及び形状を決定する。ガイド位置生成部６１２は、例えば、図１２に示すガイド部１１ｂのようなガイド線の位置及び形状を決定する。すなわち、ガイド位置生成部６１２は、撮像方向の異なる複数の画像情報に基づいて、カード基材ＰＴと利用者の指ＦＧとの接触する範囲を示すガイド線を決定する。
【００７７】
また、本実施形態における印刷制御部６１３は、ガイド位置生成部６１２が決定したガイド部１１ｂを印刷（配置）する位置に、ガイド部１１を印刷装置３２に印刷させる。これにより、印刷装置３２は、ＩＣカード１ｂのカード基材ＰＴの所定の位置に、ガイド線を印刷してガイド部１１ｂを生成する。すなわち、印刷装置３２は、複数のカメラ３１が取得した画像情報に基づいて、指紋センサ９が第２の指紋情報を検出する際に利用者の指ＦＧをカード基材ＰＴ上に置く位置を示すガイド部１１ｂを、カード基材ＰＴに生成（印刷）する。
【００７８】
図１２は、本実施形態のＩＣカード１ｂの外観例を示す図である。
図１２に示すように、ＩＣカード１ｂは、ＩＣモジュール１０と、ガイド部１１ｂと、カード基材ＰＴとを備える。
なお、図１２において、図１及び図９と同一の構成には同一の符号を付与してその説明を省略する。本実施形態では、ガイド部１１ｂが、利用者の指ＦＧがカード基材ＰＴに接触する部分が分かるように構成されている点が、上述した第１の実施形態と異なる。
【００７９】
以上説明したように、本実施形態によるＩＣカード１ｂは、ガイド部１１ｂを備える。ガイド部１１ｂは、ガイド部１１は、利用者の指ＦＧがカード基材ＰＴに接触する部分が分かるように構成されている。
これにより、本実施形態によるＩＣカード１ｂは、ガイド部１１ｂによって、利用者がカード基材ＰＴの常に一定の位置で、且つ、指紋情報を登録した際と同一の位置に、指ＦＧ（身体の一部）を置くことができるため、第１の実施形態と同様の効果を奏し、指紋情報（生体情報）による高い認証率を維持することができる。
【００８０】
なお、指紋情報による利用者の認証を行う際に、利用者の指ＦＧの全面をカード基材ＰＴに接触させた場合と、利用者の指ＦＧの一部（例えば、指先の一部など）をカード基材ＰＴに接触させた場合とでは、認証結果が異なる可能性がある。本実施形態によるＩＣカード１ｂは、ガイド部１１ｂにより利用者の指ＦＧがカード基材ＰＴに接触する部分が分かるため、利用者の指ＦＧとカード基材ＰＴとの接触面を一定にすることができ、指紋情報（生体情報）による高い認証率をさらに維持することができる。
【００８１】
また、本実施形態による生体情報登録システム１００ａは、登録装置６０（登録処理部６１１）と、複数のカメラ３１（画像取得部）と、印刷装置３２（ガイド生成部）とを備える。登録装置６０は、複数のカメラ３１が取得した複数の画像情報に基づいて、ガイド部１１ｂの位置及び形状を決定する。印刷装置３２は、複数のカメラ３１が取得した複数の画像情報に基づいて、指紋センサ９が第２の指紋情報を検出する際に利用者の指ＦＧをカード基材ＰＴ上に置く位置及び形状を示すガイド部１１ｂを、カード基材ＰＴに生成する。
これにより、本実施形態による生体情報登録システム１００ａは、より正確な位置及び形状のガイド部１１ｂを生成することが可能になり、ＩＣカード１の指紋情報による高い認証率をさらに維持することができる。
【００８２】
上記の各実施形態において、印刷装置３２は、ＩＣカード１（１ａ、１ｂ）のカード基材ＰＴにガイド部１１（１１ａ、１１ｂ）を直接印刷する例を説明したが、これに限定されるものではない。印刷装置３２は、シート状の部材にガイド部１１（１１ａ、１１ｂ）を印刷し、当該シート状の部材をカード基材ＰＴに貼りつけてガイド部１１（１１ａ、１１ｂ）を形成するようにしてもよい。
【００８３】
また、上記の各実施形態において、それぞれ単独により実施する例を説明したが、各実施形態の一部又は全部を組み合わせて実施してもよい。例えば、第１の実施形態と、第２の実施形態とは、組み合わせて実施してもよい。
【００８４】
また、上記の各実施形態において、印刷装置３２は、ガイド部１１（１１ａ、１１ｂ）を自然光にて視認可能に印刷する例を説明したが、これに限定されるものではなく、例えば、紫外線などで視認可能な蛍光塗料により、ガイド部１１（１１ａ、１１ｂ）を印刷するようにしてもよい。この場合、ＩＣカード１（１ａ、１ｂ）は、指紋情報による認証処理を行う際に、例えば、ブラックライトなどの紫外線ライトを照射してガイド部１１（１１ａ、１１ｂ）を利用者に視認させる。このようにすることで、ＩＣカード１（１ａ、１ｂ）は、カード表面の印刷などのデザインを損なうことなく、高い認証率を維持することができる。
【００８５】
また、上記の各実施形態において、生体情報の一例として、指紋情報を使用する例を説明したが、これに限定されるものではない。例えば、生体情報は、静脈パターン情報などであってもよく、生体認証可能な情報であれば、他の生体情報であってもよい。
また、上記の各実施形態では、身体の一部の一例として、指ＦＧを使用する例を説明したが、これに限定されるものではない。例えば、身体の一部は、手の平などの他の部分であってもよい。
【００８６】
また、上記の各実施形態において、画像情報におけるカード基材ＰＴの基準位置を、指紋センサ９の中心点Ｐ０とする例を説明したが、これに限定されるものではなく、基準位置を、例えば、カード基材ＰＴの中心点、カード基材ＰＴを長方形とした場合の頂点などとしてもよい。
【００８７】
また、上記の各実施形態において、ＩＣカード１（１ａ、１ｂ）は、コンタクト部３を介して外部と通信する例を説明したが、コイルなどを用いたコンタクトレスインターフェースを介して外部と通信するように構成してもよい。この場合、コイルなどを介して、ＩＣカード１（１ａ、１ｂ）に電源供給するようにしてもよい。
【００８８】
また、上記の各実施形態において、ＩＣカード１（１ａ、１ｂ）は、書き換え可能な不揮発性メモリとして、ＥＥＰＲＯＭ８を備える構成としたが、これに限定されるものではない。例えば、ＩＣカード１（１ａ、１ｂ）は、ＥＥＰＲＯＭ８の代わりに、フラッシュメモリ、ＦｅＲＡＭ（Ferroelectric Random Access Memory：強誘電体メモリ）などを備えてもよい。
【００８９】
また、上記の各実施形態において、照合プロセッサ１２がＩＣモジュール１０の外部に設けられている例を説明したが、これに限定されるものではなく、照合プロセッサ１２に相当する機能をＩＣモジュール１０が備えるようにしてもよい。
【００９０】
また、上記の各実施形態において、ガイド部１１（１１ａ、１１ｂ）のガイド線は、各実施形態の形状に限定されるものではなく、他の形状であってもよい。例えば、ガイド部１１（１１ａ、１１ｂ）のガイド線は、直線状のガイド線など、指ＦＧの方向（角度）が分かる形状であってもよい。
【００９１】
また、上記の第２の実施形態において、ガイド部１１ａは、凹凸の一例として、突起部ＥＮ（凸部）を備える例を説明したが、これに限定されるものではない。ガイド部１１ａは、カード基材ＰＴ上に、利用者の指ＦＧの形状に沿った窪み（凹部）を備えるようにしてもよいし、突起部ＥＮ（凸部）と凹部との両方を備えてもよい。
【００９２】
以上説明した少なくともひとつの実施形態によれば、指紋センサ９が第１の指紋情報を検出した際に取得された、利用者の指ＦＧとカード基材ＰＴとの位置関係を示す画像情報に基づいて、カード基材ＰＴに配置されたガイド部１１であって、指紋センサ９が第２の指紋情報を検出する際に指ＦＧをカード基材ＰＴ上に置く位置を示すガイド部１１を持つことにより、指紋情報（生体情報）による高い認証率を維持することができる。
【００９３】
上記実施形態は、以下のように表現することができる。
利用者の身体の一部から生体情報を検出する検出部と、
前記検出部が検出した第１の生体情報を記憶する生体情報記憶部と、
少なくとも前記処理部及び前記検出部が埋め込まれたカード本体と、
前記検出部が前記第１の生体情報を検出した際に取得された、前記身体の一部と前記カード本体との位置関係を示す画像情報に基づいて、前記カード本体に配置されたガイド部であって、前記検出部が前記第２の生体情報を検出する際に前記身体の一部を前記カード本体上に置く位置を示すガイド部と、
少なくともコンピュータが実行可能なプログラムに関する情報を記憶する記憶部と、
前記記憶部に記憶されたプログラムを実行するハードウェアプロセッサと、を備え、
前記ハードウェアプロセッサは、前記プログラムを実行することにより、
前記検出部が検出した第２の生体情報と、前記生体情報記憶部が記憶する前記第１の生体情報とに基づいて、前記利用者を認証する
ように構成されている、ＩＣカード。
【００９４】
なお、実施形態における生体情報登録システム１００（１００ａ）及びＩＣカード１（１ａ、１ｂ）が備える各構成の機能を実現するためのプログラムをコンピュータ読み取り可能な記録媒体に記録して、この記録媒体に記録されたプログラムをコンピュータシステムに読み込ませ、実行することにより上述した生体情報登録システム１００（１００ａ）及びＩＣカード１（１ａ、１ｂ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１，１ａ，１ｂ…ＩＣカード、２…外部装置、３…コンタクト部、４…ＵＡＲＴ、５…ＣＰＵ、６…ＲＯＭ、７…ＲＡＭ、８…ＥＥＰＲＯＭ、９…指紋センサ、１０…ＩＣモジュール、１１，１１ａ，１１ｂ…ガイド部、１２…照合プロセッサ、２０…ＩＣチップ、３１，３１−１，３１−２…カメラ、３２…印刷装置、４０…通信部、５０，６１…制御部、５１…コマンド処理部、６０…登録装置、８１…ＡＰデータ記憶部、１００，１００ａ…生体情報登録システム、１２０…生体照合処理部、６１１…登録処理部、６１２…ガイド位置生成部、６１３…印刷制御部、ＢＳ１…内部バス、ＥＮ…突起部、ＰＴ…カード基材
【図１】
2020009245.tif 000003
【図２】
2020009245.tif 000004
【図３】
2020009245.tif 000005
【図４】
2020009245.tif 000006
【図５】
2020009245.tif 000007
【図６】
2020009245.tif 000008
【図７】
2020009245.tif 000009
【図８】
2020009245.tif 000010
【図９】
2020009245.tif 000011
【図１０】
2020009245.tif 000012
【図１１】
2020009245.tif 000013
【図１２】
2020009245.tif 000014